(57)【要約】【課題】眼科の検査や治療時に、被検者乃至は患者の頭部を効果的に且つ安定して固定して、検査精度や治療精度を有利に高め得る眼科用頭部固定具を提供すること。【解決手段】頭部７０の周りに嵌着、固定される円環状のベルト本体８を有するヘッドベルト４と、かかる頭部の左右に位置するように、ヘッドベルトの前記ベルト本体の左右にそれぞれ設けられた係止部１２と、前記頭部の背後に位置せしめられる椅子の背もたれ部７２に保持されて、前記ヘッドベルトのベルト本体の左右の側にそれぞれ延び、ベルト本体に設けられた係止部にそれぞれ係止されることによって頭部を移動不能に且つ回動不能に固定せしめる固定ベルト５６とを含んで構成した。【選択図】図１１
2008104754.tif 000002
【特許請求の範囲】
【請求項１】
頭部の周りに嵌着、固定される所定幅の円環状のベルト本体を有するヘッドベルトと、かかる頭部の左右に位置するように、該ヘッドベルトの前記ベルト本体の左右にそれぞれ設けられた係止部と、前記頭部の背後に位置せしめられる所定の静止部材に保持されて、前記ヘッドベルトのベルト本体の左右の側にそれぞれ延び、該ベルト本体に設けられた前記係止部にそれぞれ係止されることによって、前記頭部を移動不能に且つ回動不能に固定せしめる固定ベルトとを含んで構成されていることを特徴とする眼科用頭部固定具。
【請求項２】
前記頭部における眼の前方に位置せしめられて、目的とする検査が実施される検査用眼鏡が、その左右の支持アームの後端部において、前記ヘッドベルトのベルト本体の左右の係止部にそれぞれ固定可能に取り付けられていることを特徴とする請求項１に記載の眼科用頭部固定具。
【請求項３】
前記固定ベルトが伸縮性材料によって形成されて、伸縮性が付与されていることを特徴とする請求項１又は請求項２に記載の眼科用頭部固定具。
【請求項４】
前記固定ベルトが、その先端部においてフック部を有し、該フック部を前記係止部に係止せしめることによって、前記ヘッドベルトに連結されるようになっていることを特徴とする請求項１乃至請求項３の何れか一つに記載の眼科用頭部固定具。
【請求項５】
前記検査用眼鏡の左右の支持アームに長孔が設けられ、該長孔の長さ方向において前記係止部との固定位置が変更可能とされていることを特徴とする請求項２乃至請求項４の何れか一つに記載の眼科用頭部固定具。
【請求項６】
前記頭部の頭頂部において左右に架け渡されるように位置せしめられる、前記ヘッドベルトのベルト本体を左右に連結する嵌着深さ規制ベルトが、更に設けられていることを特徴とする請求項１乃至請求項５の何れか一つに記載の眼科用頭部固定具。
【請求項７】
前記ヘッドベルトのベルト本体及び嵌着深さ規制ベルト並びに前記固定ベルトのうちの少なくとも一つに、長さ調節手段が設けられていることを特徴とする請求項１乃至請求項６の何れか一つに記載の眼科用頭部固定具。
【発明の詳細な説明】
【技術分野】
【０００１】
本発明は、眼科用頭部固定具に係り、特に、眼科検査や眼科治療において頭部を固定することにより、検査精度や治療精度、安全性が飛躍的に向上せしめられ得る、例えば複視診断計による検査をするときに好適に用いられる頭部固定具に関するものである。
【背景技術】
【０００２】
従来から、眼科の分野においては、各種の検査や診断、治療等のために、被検者乃至は患者の頭部（眼部）を固定する必要があり、そのために、良く知られているように、かかる頭部を、顎台や額当てに置いたり、当接したりして、前眼部や眼底検査等を行うことが、一般的であり（特許文献１、非特許文献１，２等参照）、よく普及している。また、治療時には、枕や人手によって頭部を押えて保持するようにした方式も、よく用いられて来ている。
【０００３】
しかしながら、かかる従来の顎台や額当てにて頭部を保持するという方式にあっては、被検者等の姿勢に無理が掛かるばかりでなく、頭部の固定自体も完全ではなかったのである。即ち、顎部や額部の載置・当接による固定だけでは、眼部（眼球）位置が左右に動いてしまう余地が残されており、検査や眼球内観察に支障を来たす恐れが内在しているのである。また、固定のための強制力がないために、何時でも外れてしまうという問題も内在している。このような問題は、眼球内に治療を施す場合においては、安全性の観点からも、重大な支障となるのである。また、頭部を動かないように、人手によって強く押え付ける場合にあっては、患者等に余分な苦痛を与えることとなる他、その固定の確実性や安定性においても、充分なものではなかったのである。
【０００４】
特に、赤緑フィルタにて両眼視を分離して、複像の方向や程度を自覚的に判定することにより、各注視方向における眼位ズレを調べるヘス‐ランカスター（Ｈｅｓｓ−Ｌａｎｃａｓｔｅｒ）テストを行う複視診断計（眼筋機能測定装置）においては、Ｈｅｓｓチャートを正確に記録する上において、頭部の固定は重要であり、そのために、被検者の頭部を、顎台や額当てとそれに付属のヘッドバンドにて固定する方式を採用することも、非特許文献２に明らかにされているのであるが、それとても、頭部が顎台や額当てにヘッドバンドにて直接に拘束されるものとなることにより、大変窮屈で苦痛を伴うことが多くなることに加えて、ヘッドバンドによる拘束をゆるめたりすると、頭部固定の安定性において充分なものではなくなり、被検者等の動きによって、眼部（眼球）位置がズレて、測定精度や検査精度が低下してしまう等の問題を、依然として内在するものであった。
【０００５】
【特許文献１】実用新案登録第３０１８０６１号公報
【非特許文献１】清水弘一・野寄喜美春編、「標準眼科学」、第１５〜１６頁（株式会社医学書院発行）
【非特許文献２】丸尾敏夫他３名編、「眼科検査ガイド」、第３２０〜３２３頁（株式会社文光堂発行）
【発明の開示】
【発明が解決しようとする課題】
【０００６】
ここにおいて、本発明は、かくの如き事情を背景にして為されたものであって、その解決課題とするところは、検査や治療時に、被検者乃至は患者の頭部を、効果的に且つ安定して固定して、検査精度や治療精度を有利に高め得る眼科用頭部固定具を提供することにある。
【課題を解決するための手段】
【０００７】
そして、本発明にあっては、上記した課題の解決のために、頭部の周りに嵌着、固定される所定幅の円環状のベルト本体を有するヘッドベルトと、かかる頭部の左右に位置するように、該ヘッドベルトの前記ベルト本体の左右にそれぞれ設けられた係止部と、前記頭部の背後に位置せしめられる所定の静止部材に保持されて、前記ヘッドベルトのベルト本体の左右の側にそれぞれ延び、該ベルト本体に設けられた前記係止部にそれぞれ係止されることによって、前記頭部を移動不能に且つ回動不能に固定せしめる固定ベルトとを含んで構成されていることを特徴とする眼科用頭部固定具を、その要旨とするものである。
【発明の効果】
【０００８】
このように、本発明に従う眼科用頭部固定具にあっては、被検者乃至は患者の頭部に嵌着、固定されるヘッドベルトのベルト本体の左右に係止部をそれぞれ設け、そして、この左右の係止部に、頭部背後に位置せしめられる所定の静止部材からそれぞれ延びる固定ベルトを係止せしめて、かかる静止部材に対して、頭部が移動不能に且つ回動不能に固定せしめられ得るようになっているところから、被検者乃至は患者に無理な姿勢を強いることがなく、また顎台や額当てに直接に押し付けて拘束することなく、その頭部を効果的に固定せしめることが出来ることとなるのであり、そしてこのようにして、眼球を含む頭部がほぼ完全に安定して固定されることにより、検査や治療が支障なく実施され得て、検査・治療精度や治療安全性が効果的に向上され得ることとなったのである。
【望ましい態様】
【０００９】
ところで、かかる本発明に従う眼科用頭部固定具の望ましい態様の一つによれば、前記頭部における眼の前方に位置せしめられて、目的とする検査が実施される検査用眼鏡が、その左右の支持アームの後端部において、前記ヘッドベルトのベルト本体の左右の係止部にそれぞれ固定可能に取り付けられており、これによって、検査用眼鏡を用いた目的とする眼科検査用の有効な器具が、構成されることとなる。
【００１０】
すなわち、被検者の頭部を効果的に固定せしめた状態において、ヘッドベルトにおけるベルト本体の左右の係止部を利用して、検査用眼鏡の左右の支持アームが、その後端部において取り付けられていることにより、そのような検査用眼鏡を用いた眼科検査が精度良く実施され得るのであり、また眼科検査に際しての安全性も、飛躍的に向上され得るのである。特に、そのような検査用眼鏡として、複視診断計に用いられている赤・緑フィルターを備えた赤緑眼鏡を使用して、その左右の支持アームの後端部を、それぞれ、ベルト本体の左右の係止部に取り付けることによって、極めて簡単な構造のヘス‐ランカスターテスト用の検査器具を構成することが出来る特徴があり、本発明において、有利に採用される構成である。
【００１１】
また、本発明にあっては、前記固定ベルトは、伸縮性材料によって形成されて、伸縮性が付与されている構成が、有利に採用されることとなる。このように、固定ベルトが伸縮性を有していることによって、ヘッドベルトが、左右両側において、頭部背後に位置せしめられる所定の静止部材側に適度な引張力をもって引き付けられることとなるところから、そのようなヘッドベルトが嵌着された頭部も、静止部材側に押し付けられることとなり、以て、有効な頭部の固定が、安定的に実現され得ることとなる。
【００１２】
さらに、本発明にあっては、前記固定ベルトは、有利には、その先端部においてフック部を有しており、このフック部を前記係止部に係止せしめることによって、前記ヘッドベルトに連結されるようになっている構成が採用される。このようなフック部を用いた連結構造の採用によって、固定ベルトと係止部との連結が、簡便且つ容易に行なわれ得ることとなるのであり、以て、頭部の固定作業を迅速に行い得て、検査や治療の時間短縮にも寄与し得ることとなったのである。
【００１３】
加えて、本発明に従う眼科用頭部固定具の他の望ましい態様によれば、前記検査用眼鏡の左右の支持アームに長孔が設けられ、該長孔の長さ方向において前記係止部との固定位置が変更可能とされている構成が採用され、これによって、被検者乃至は患者の眼の位置に対応して、検査用眼鏡を正しい位置に配置して、より正確な検査の実施が可能となるようになっている。
【００１４】
また、本発明に従う眼科用頭部固定具の更に他の望ましい態様によれば、前記頭部の頭頂部において左右に架け渡されるように位置せしめられる、前記ヘッドベルトのベルト本体を左右に連結する嵌着深さ規制ベルトが、更に設けられている構成が、採用されることとなる。これによって、被検者乃至は患者の頭部に対するヘッドベルトの嵌着深さが、効果的に規制され、頭部に対するヘッドベルトの固定を有利に行うことが可能となる。
【００１５】
さらに、本発明にあっては、前記ヘッドベルトのベルト本体及び嵌着深さ規制ベルト並びに前記固定ベルトのうちの少なくとも一つに、長さ調節手段が設けられている構成が、有利に採用される。そのような長さ調節手段の配設によって、頭部の大きさに対応したヘッドベルトの大きさを選択して、頭部に対するヘッドベルトの嵌着が、有利に為され得ることとなるのであり、また固定ベルトに長さ調節手段を配設した場合にあっても、頭部の大きさに応じたヘッドベルト（係止部）と静止部材との間の適切な距離を調節することが可能となることに加えて、静止部材に対するヘッドベルト、ひいては頭部の拘束力をも、有利に調節することが、可能となる利点が生じるのである。
【発明を実施するための最良の形態】
【００１６】
以下、本発明を更に具体的に明らかにするために、本発明の代表的な実施の形態について、図面を参照しつつ、詳細に説明することとする。
【００１７】
先ず、図１乃至図４には、本発明に従う眼科用頭部固定具の一実施形態である、複視診断計の検査に際して用いられる赤緑眼鏡付き頭部固定器具における赤緑眼鏡・ヘッドベルト連結ユニットの一例が、示されている。そこにおいて、図１は、かかる連結ユニットの正面説明図であり、また図２、図３及び図４は、それぞれ、そのような連結ユニットの平面説明図、右側面説明図及び左側面説明図である。そして、それらの図から明らかなように、赤緑眼鏡・ヘッドベルト連結ユニット２は、皮製のヘッドベルト４と樹脂製の赤緑眼鏡６とから構成され、そこでヘッドベルト４は、被検者の頭部の周りに、それを取り巻くようにして嵌着、固定される、所定幅の円環状のベルト本体８と、被検者の頭部の頭頂部において左右に架け渡されるように、換言すれば頭部の左右両側部をつなぐように位置せしめられる、該ベルト本体８を左右に連結する係止部１２，１２とから構成されている。また、かかるベルト本体８の左右には、固定せしめられる頭部の左右両側部に位置するように、係止部１２，１２が、それぞれ設けられ、更にそれら係止部１２，１２に対して、後述するように、赤緑眼鏡６の左右の支持アームの後端部が連結せしめられてなる構造とされている。
【００１８】
そこにおいて、ヘッドベルト４を構成するベルト本体８は、皮材にて形成されてなるものであって、図１及び図２から明らかな如く、円弧状に湾曲せしめられた所定幅の帯状前方部１４と、この帯状前方部１４の両端部にそれぞれ取り付けられて、相互に所望位置において連結せしめられる二つの所定幅の帯状後方部１６ａ，１６ｂとから構成され、全体として円環形状を呈する構造とされている。なお、帯状前方部１４の両端部と帯状後方部１６ａ，１６ｂとの接続は、帯状前方部１４の端部に設けた幅方向の長孔内に、帯状後方部１６ａ，１６ｂの端部を挿入し、折り曲げて、重ね合わせた部位を、ピン止めすることによって実現されており、また二つの帯状後方部１６ａ，１６ｂの重ね合せ対向面には、それぞれ、面ファスナーを構成する部材が、所定長さに亘って取り付けられており、その重ね合せ部位における周方向における長さを適宜に調整して、それら二つの帯状後方部１６ａ，１６ｂの相互の連結を行うことによって、ベルト本体８の周方向長さを適宜に調節して、被検者乃至は患者の頭部への嵌着固定が、有利に行われ得るようになっている。従って、ここでは、それら二つの帯状後方部１６ａ，１６ｂの重ね合せ部位に設けられた面ファスナー機構１８によって、ベルト本体８の長さ調節手段が、構成されている。
【００１９】
また、ヘッドベルト４を構成する他の一つの部材たる嵌着深さ規制ベルト１０は、ベルト本体８の帯状前方部１４において、嵌着固定される頭部の左右両側部に位置するようにそれぞれ設けられた係止部１２，１２の上方に位置するように、かかる帯状前方部１４の周方向に延びる長孔に、前記帯状後方部１６ａ，１６ｂと帯状前方部１４との接続の場合と同様にして、それぞれ端部がピン止め固定された、所定幅の皮製の帯状橋絡片の二つ１０ａ，１０ｂにて構成されており、それら二つの帯状橋絡片１０ａ，１０ｂの重ね合せ部位に設けられる、長さ調節手段である面ファスナー機構２０によって、相互に連結せしめられ得るようになっている。そして、図３及び図４に示されるように、それら二つの帯状橋絡片１０ａ，１０ｂの重ね合せ部位の長さを調節した状態において、相互に係合連結せしめることによって、それら二つの帯状橋絡片１０ａ，１０ｂによって形成される円弧の大きさが変化させられ得ることにより、頭部の頭頂部において左右に架け渡されるように位置せしめられる嵌着深さ規制ベルト１０によって、ヘッドベルト４の頭部に対する嵌着深さが、適宜に調整され得るようになっているのである。
【００２０】
さらに、赤緑眼鏡６は、図１〜図３より明らかな如く、赤色フィルター２２と緑色フィルター２４とが取り付けられたフロント２６と、このフロント２６を左右両側部において支持する左右の支持アーム２８ａ，２８ｂとからなる、樹脂の一体成形品において構成されていると共に、その左右の支持アーム２８ａ，２８ｂの自由端となる後端部において、ベルト本体８の左右両側部に設けられた係止部１２，１２に対して、それぞれ、固定可能に取り付けられている。
【００２１】
ところで、ベルト本体８の左右に設けられる係止部１２は、かかる赤緑眼鏡６の支持アーム２８ａ，２８ｂの後端部を固定すると共に、後述する固定ベルトの係止のために、ここでは、図５〜図８において示される如き構造において構成されている。即ち、ベルト本体８の帯状前方部１４における左右の係止部１２の配設位置には、取付孔３０が、円孔部３０ａに対して、それを直径方向に横切るように延びる突出孔部３０ｂを設けてなる構造において、形成されており、そして、この取付孔３０の上方に位置するように、嵌着深さ規制ベルト１０の帯状橋絡片１０ａ，１０ｂがそれぞれ挿通せしめられて、取り付けられる長孔状のベルト固定孔３２が、設けられている。
【００２２】
また、このベルト本体８の帯状前方部１４に設けられた取付孔３０に対して、ベルト本体８の円環形状の内側から外側に向って嵌入せしめられる固定ボルト３４は、図６に示されるように、取付孔３０よりも充分な大きさの外径を有する円盤形状の基盤３６と、その中心部に一体的に立設された、円孔部３０ａの直径よりは僅かに小さな外径を有するボス部３８と、このボス部３８の先端から同心的に一体的に伸びる棒状のネジ部４０とから、一体的に構成されており、そして、ボス部３８の外周面には、その直径方向において対応する位置に、帯状前方部１４の厚さにほぼ等しい高さを有すると共に、突出孔部３０ｂの幅にほぼ等しい厚さにおいて、径方向に延び出す係合片部４２，４２が、基盤３６からボス部３８の軸方向に延びるように、それぞれ一体的に設けられている。
【００２３】
さらに、かかる固定ボルト３４のネジ部４０に螺合せしめられる固定ナット４４は、図７に示される如く、蝶型ナット形状を呈するものである。具体的には、この固定ナット４４は、厚肉円盤状の基部４６と、この基部４６に対して同心的に位置するツマミ部４８とから一体的に構成されてなると共に、かかるツマミ部４８の外周面の直径方向に対応する位置に、径方向外方に充分な長さで延びるバタフライ部５０が、一体的に設けられているが、このバタフライ部５０は、基部４６に一部入り込んではいるものの、基部４６の端面にまでは達しておらず、図７（ｂ）に示される、基部４６の右側の面となる端面との間において、所定の距離を隔てて、間隙が形成され得るようになっている。そして、それら固定ナット４４の基部４６及びツマミ部４８を貫通して、ネジ孔５２が設けられており、このネジ孔５２に対して、固定ボルト３４のネジ部４０が螺入せしめられ得るようになっているのである。
【００２４】
従って、図５に示される帯状前方部１４の左右に設けられた取付孔３０に対して、図６に示される固定ボルト３４を嵌入し、これに、赤緑眼鏡６の左右の支持アーム２８ａ，２８ｂを取り付け、更に図７に示される固定ナット４４にて固定せしめるには、図８の如くして行われることとなるのである。即ち、ベルト本体８の帯状前方部１４に設けられた取付孔３０に対して、ベルト本体８の円環形状の内側から、固定ボルト３４が嵌入せしめられて、そのボス部３８が、取付孔３０の円孔部３０ａに、またその係合片部４２が、取付孔３０の突出孔部３０ｂに、それぞれ嵌め込まれて、回動不能に保持された状態下において、赤緑眼鏡６の支持アーム２８ａ，２８ｂの後端部に設けられた、その長手方向に延びる長孔５４を挿通せしめたネジ部４０に対して、固定ナット４４を、そのネジ孔５２において螺合せしめて、締め付けることにより、赤緑眼鏡６の支持アーム２８ａ，２８ｂの有効な固定が為され得ることとなるのである。また、このような固定ナット４４の螺合により、そのバタフライ部５０は、基部４６の端面、従って、それが接する支持アーム２８ａ，２８ｂの表面との間において、所定の間隙が形成されることとなるところから、この間隙を利用して、後述せるように、固定ベルトの係止が効果的に行なわれ得るようになっているのである。
【００２５】
また、かくの如き構成の赤緑眼鏡・ヘッドベルト連結ユニット２の係止部１２に係止されて、被検者乃至は患者の頭部を、その背後に位置せしめられる所定の静止部材に対して移動不能に且つ回動不能に固定せしめる固定ベルトは、ここでは、図９及び図１０に示される如き構成を有するものとされている。即ち、固定ベルト５６は、アジャスター５８によって長さ調節が可能とされた、伸縮性を有するゴムベルト６０の二つを中央リング６１にて連結してなる構造を有しており、そしてそれらゴムベルト６０，６０の両端部に、それぞれ、接続リング６２を介して、伸縮性を有する所定長さの端部ベルト６４，６４が、それぞれ取り付けられ、更にそれら端部ベルト６４，６４に、それぞれ、前記係止部１２に対するフック部となる係止リング６６，６６が取り付けられているのである。また、この固定ベルト５６は、そのゴムベルト６０，６０を連結する中央リング６１部分において、被検者の頭部背後に位置せしめられる所定の静止部材、例えば椅子の背もたれ部７２に対して保持せしめられる一方、その両端部の係止リング６６，６６が、ヘッドベルト４のベルト本体８の左右の側に、それぞれ延びて、ベルト本体８の左右の側に設けられた係止部１２，１２に対して、ぞれぞれ係止せしめられるようになっている。即ち、図１０に示される如く、椅子の背もたれ部７２の背面の上下方向に延びる溝に対して、Ｌ字型の取付ブラケット６３がネジ６５によって上下方向の任意の位置で固定せしめられるようになっており、そしてこの取付ブラケット６３に対して、固定ベルト５６の中央リング６１が止めリング６７にて取り付けられて、保持されるようになっているのである。
【００２６】
図１１には、上述した赤緑眼鏡・ヘッドベルト連結ユニット２と、固定ベルト５６とからなる赤緑眼鏡付き頭部固定器具を用いて、被検者の頭部を固定してなる構造が、示されている。そこにおいて、被検者の頭部７０に対して、それを取り巻くようにして、その周りに、ベルト本体８が、面ファスナー機構１８にて円環形状の大きさを調整しつつ、嵌着固定せしめられる一方、嵌着深さ規制ベルト１０における面ファスナー機構２０による長さ調節によって、ベルト本体８の嵌着深さ、換言すれば、ベルト本体８の頭部７０に対する嵌着位置が調整されると共に、更に赤緑眼鏡６の位置が、被検者の眼鏡の有無や頭の大きさ等によって、支持アーム２８ａ，２８ｂの長孔５４における固定ボルト３４のボス部３８、ネジ部４０の位置を調整した後、固定ナット４４を締め付けることにより、赤緑眼鏡６の前後方向の位置が適正な位置となるように、調整されるのである。
【００２７】
そして、被検者は、ヘス‐ランカスターテストのために、椅子に座ることにより、頭部７０の背後には、垂直方向に、椅子の背もたれ部７２が位置するようになるところから、一般的には、そのような背もたれ部７２と頭部７０との間に、枕７４等の適当な物体（クッション）を介在せしめて、頭部７０を垂直方向に位置させつつ、背もたれ部７２の裏側（背面）に、固定ボルト５６が周り込んだ状態において、その両端部を背もたれ部７２の前方側に引き出し、更にその両端部の係止リング６６，６６を、それぞれ、ベルト本体８の左右に設けた係止部１２，１２をそれぞれ構成する固定ナット４４に係止せしめることにより、頭部７０を静止部材たる椅子の背もたれ部７２に対して移動不能に且つ回動不能に固定するようにするのである。なお、このような固定ベルト５６によるヘッドベルト４、ひいては、頭部７０の固定に際して、固定ベルト５６の長さが、アジャスター５８によって調整され、被検者に窮屈でない（苦痛を与えることのない）長さにおいて調整された後、ヘッドベルト４の係止部１２に対する係止が行なわれ得るようになっている。また、固定ベルト５６は、椅子の背もたれ部７２の背後に周り込んだ位置において、例示の取付ブラケット６３の如き適当な固定手段を用いて、上下方向の移動が規制されるようになっており、これによって、固定ベルト５６が、下方にずり落ちないようになっている。
【００２８】
従って、かくの如き構造の赤緑眼鏡・ヘッドベルト連結ユニット２と、固定ベルト５６とからなる赤緑眼鏡付き頭部固定器具を用いて、被検者の頭部７０を固定するようにすれば、眼球を含む頭部７０は、従来の如く顎台や額当てに直接的に押し付けられることがなく、ほぼ完全に固定され、頭部７０が移動したり、或いは回動したりして、検査に支障を来たすようなことが、効果的に回避され得ることとなるのであり、これによって、ヘス‐ランカスターテストの検査精度の向上や、その安定化が、効果的に図られ得ることになるのである。そして、これによって、正確な検査を確実に行うことが可能となるところから、検査のやり直しが少なくなり、被検者乃至は患者の負担が軽くなることも、大きな利点の一つである。
【００２９】
特に、このように、頭部７０が完全に固定されるようになることによって、複視検査の場合においては、従来より精度の高い結果が、有利に得られることとなり、このため、従来の如く、検査中に顎台の上で頭部が動き、検査精度に大きく影響するようなことが、回避され得ることとなったのである。
【００３０】
なお、かかる例示の実施形態においては、係止部１２が、ベルト本体８の帯状前方部１４に設けた取付孔３０と固定ボルト３４と固定ナット４４とから構成され、これによって、赤緑眼鏡６の左右の支持アーム２８ａ，２８ｂの固定が行なわれ得るようになっていると共に、その固定される支持アーム２８ａ，２８ｂと、螺合せしめられる固定ナット４４のバタフライ部５０との間に隙間が形成され、図１１に示されるように、その隙間を利用して、固定ベルト５６の端部の係止リング６６が係止せしめられ得るようになっているところから、かかる係止リング６６の係止が確実に行われ得て、外れるようなことがないのであり、従って、ヘッドベルト４、ひいては赤緑眼鏡・ヘッドベルト連結ユニット２によって、頭部７０の固定が、より一層確実に行なわれ得ることとなるのである。
【００３１】
このように、本発明は、ヘス‐ランカスターテスト（複視診断）のための赤緑眼鏡付き頭部固定器具の如き、眼科検査に用いられる頭部固定具として、有利に用いられ得るものであるが、また、図１２に示される如く、眼科治療の際の頭部固定具としても、用いることが可能である。
【００３２】
すなわち、図１２においては、患者の頭部７０に対して、図１１の場合と同様にして、ヘッドベルト４が、嵌着固定された後、患者をベッド８０に仰臥させる一方、その頭部７０が、枕８２にて支持されて、レーザー治療等の治療のために眼球が正しい位置となるように、保持せしめられた状態下において、枕下の固定板８４から延びる、先の固定ベルト５６と同様な伸縮性ベルト８６によって、ヘッドベルト４を固定せしめるようにするのである。即ち、固定板８４の両側から、それぞれ、固定ベルト８６，８６が左右に延び出し、その先端部に取り付けられた係止リング８８が、ヘッドベルト４の係止部１２に対して係止せしめられるのであり、また、伸縮性ベルト８６の長さ調節は、アジャスター９０によって行われ得るようになっている。
【００３３】
このようにして、患者の頭部７０にヘッドベルト４を装着して、ベッド８０に横たわらせ、枕下の固定板８４からそれぞれ延び出す伸縮性ベルト８６，８６を、ヘッドベルト４の左右に設けた係止部１２，１２（具体的には、固定ナット４４とベルト本体６との間の隙間）に係止せしめることにより、患者の頭部７０を、効果的に位置固定に保持することが出来ることとなるのであり、これによって、治療中において、頭部７０、即ち眼球が動くことなく、治療が安全に実施され得るのである。特に、レーザー治療の場合にあっては、瞳孔中心とレーザー中心が治療中にずれ難く、同軸が保持され易く、正しい位置に安定して保持され得るところから、正確な治療が可能となるのであり、以て、治療精度や安全性が、従来と比べて遙に向上せしめられ得ることとなるのである。
【００３４】
なお、本発明に従う眼科用頭部固定具は、例示の実施形態に係る具体的な記述によって、何等限定的に解釈されるものでは決してなく、本発明が、当業者の知識に基づいて、種々なる変更、修正、改良等を加えた態様において実施され得るものであり、またそのような実施の態様が、本発明の趣旨を逸脱しない限りにおいて、何れも、本発明の範疇に属するものであることが、理解されるべきである。
【００３５】
例えば、ヘッドベルト４のベルト本体８を固定せしめるベルト５６，８６としては、各種ゴム材料やエラストマー材料等の伸縮性材料によって形成されて、伸縮性を有しているものであることが望ましいのものであるが、そのような伸縮性を有しないベルトであっても、同様に用いることが可能である。
【００３６】
また、固定ベルト５６又は伸縮性ベルト８６とヘッドベルト４のベルト本体８に設けられた係止部１２との間の係止構造にあっても、例示の如き係止リング６６を固定ナット４４に引っ掛ける構造のものに限定されるものでは、決してなく、公知の各種の係止機構が、適宜に採用され得るものであり、例えば、フックの形状にあっても、リング状の他、鉤型状のものでも、何等、差し支えなく、そして、そのような鉤型状のフックに対応した公知の係止部が、適宜に採用され得ることとなるのである。
【００３７】
さらに、固定ベルト５６や伸縮性ベルト８６は、椅子の背もたれ部７２やベッド８０側又は枕下の固定板８４に固定せしめられる必要はなく、単に、椅子の背もたれ部７２やベッド８０の固定部材を取り巻くようにして設けて、それら静止部材としての背もたれ部７２やベッド８０に保持されるようにした構造とすることも、可能である。
【図面の簡単な説明】
【００３８】
【図１】本発明に従う眼科用頭部固定具の一例に係る赤緑眼鏡付き頭部固定器具を構成する赤緑眼鏡・ヘッドベルト連結ユニットの正面説明図である。
【図２】図１に示される赤緑眼鏡・ヘッドベルト連結ユニットの平面説明図である。
【図３】図１に示される赤緑眼鏡・ヘッドベルト連結ユニットの右側面説明図である。
【図４】図１に示される赤緑眼鏡・ヘッドベルト連結ユニットの左側面説明図である。
【図５】図１に示される赤緑眼鏡・ヘッドベルト連結ユニットにおけるベルト本体の係止部の設けられる部位を示す正面部分説明図である。
【図６】図１に示される赤緑眼鏡・ヘッドベルト連結ユニットに用いられる固定ボルトの説明図であって、（ａ）はその正面説明図、（ｂ）はその右側面説明図、（ｃ）はその平面説明図である。
【図７】図１に示される赤緑眼鏡・ヘッドベルト連結ユニットに用いられる固定ナットの説明図であって、（ａ）、（ｂ）、（ｃ）及び（ｄ）は、それぞれ、その正面説明図、右側面説明図、平面説明図及び背面説明図である。
【図８】図１に示される赤緑眼鏡・ヘッドベルト連結ユニットにおける係止部の構成を示す分解斜視説明図である。
【図９】図１に示される赤緑眼鏡・ヘッドベルト連結ユニットに組み合わせて用いられ、赤緑眼鏡付き頭部固定器具を構成する、固定ベルトの一例を示す１／２説明図である。
【図１０】図１〜図９に示される構造の赤緑眼鏡付き頭部固定器具を用いた、頭部の固定形態を示す正面説明図である。
【図１１】図１０に示される頭部固定構造において、椅子の背もたれ部の裏側における固定ベルトの配設保持形態を示す斜視説明図である。
【図１２】本発明に従う眼科用頭部固定具の他の一例を用いて、頭部をベッド上に固定する形態を示す正面説明図である。
【符号の説明】
【００３９】
２  赤緑眼鏡・ヘッドベルト連結ユニット      ４  ヘッドベルト
６  赤緑眼鏡                                ８  ベルト本体
１０  嵌着深さ規制ベルト                    １０ａ，１０ｂ  帯状橋絡片
１２  係止部                                １４  帯状前方部
１６  帯状後方部                            １８，２０  面ファスナー機構
２２  赤色フィルター                        ２４  緑色フィルター
２６  フロント                              ２８ａ，２８ｂ  支持アーム
３０  取付孔                                ３０ａ  円孔部
３０ｂ  突出孔部                            ３２  固定孔
３４  固定ボルト                            ３６  基盤
３８  ボス部                                ４０  ネジ部
４２  係合片部                              ４４  固定ナット
４６  基部                                  ４８  ツマミ部
５０  バタフライ部                          ５２  ネジ孔
５４  長孔                                  ５６  固定ベルト
５８  アジャスター                          ６０  ゴムベルト
６１  中央リング                            ６２  接続リング
６３  取付ブラケット                        ６４  端部ベルト
６５  ネジ                                  ６６  係止リング
６７  止めリング                            ７０  頭部
７２  背もたれ部                            ７４  枕
８０  ベッド                                ８２  枕                            ８４  固定板                                ８６  伸縮性ベルト                  ８８  係止リング                            ９０  アジャスター
【図１】
2008104754.tif 000003
【図２】
2008104754.tif 000004
【図３】
2008104754.tif 000005
【図４】
2008104754.tif 000006
【図５】
2008104754.tif 000007
【図６】
2008104754.tif 000008
【図７】
2008104754.tif 000009
【図８】
2008104754.tif 000010
【図９】
2008104754.tif 000011
【図１０】
2008104754.tif 000012
【図１１】
2008104754.tif 000013
【図１２】
2008104754.tif 000014